(57)【要約】      （修正有）【課題】温熱機能付きマスクを提供する。【解決手段】中空被覆表層１０の中間層に温熱作動部品３０が備わり、該温熱作動部品は、通電発熱機能を持つ面状ヒーター部３１１と該面状ヒーター部に分布する複数の通気部３１２を備えているシート状ヒーター３１、該シート状ヒーターの作動状態を制御するための電子回路コントローラ３２、該シート状ヒーターの発熱に必要な電力を提供するためのバッテリーセット３３、該シート状ヒーターの発熱温度をセンサー検知し、設定の臨界温度になったとき、該電子回路コントローラによる該シート状ヒーターの発熱動作を自動的に停止させるための温度センサー３４、該温熱作動部品の動作開閉を手動で制御するためのスイッチ３５を備えてなることを特徴とする。【選択図】図１
0003152585.tif 000002
【実用新案登録請求の範囲】
【請求項１】
通気性のある内側層１１、外側層１２及び該内・外側層１１、１２の間に挟まれる中間層１３からなる中空被覆表層１０を備え、マスク装着時の位置決めに供するために該中空被覆表層１０の両側に設けられる装着部品２０を備え、該中空被覆表層１０の中間層１３に設けられる温熱作動部品３０を備え、該温熱作動部品３０は  通電発熱機能を持つ面状ヒーター部３１１、及び該面状ヒーター部３１１に分布する複数の通気部３１２からなるシート状ヒーター３１を備え、該シート状ヒーター３１の作動状態を制御するために、該シート状ヒーター３１に電気的に連結する電子回路コントローラ３２を備え、該シート状ヒーター３１の発熱に必要な電力を提供するために、該シート状ヒーター３１と電子回路コントローラ３２とが電気的につながっているバッテリーセット３３が備わり、該電子回路コントローラ３２と電気的につながり、該シート状ヒーター３１の発熱温度をセンサー検知し、設定の臨界温度になったとき、該電子回路コントローラ３２による該シート状ヒーター３１の発熱動作を自動的に停止させるための温度センサー３４を備えてなることを特徴とする温熱機能付きマスクＡ。
【請求項２】
該中空被覆表層１０の中間層１３にはまた、該温熱作動部品３０の取り出しや置き入れに供するための開き口１４が設けられていることを特徴とする請求項１に記載の温熱機能付きマスクＡ。
【請求項３】
該シート状ヒーター３１は、導電性カーボンファイバーチップ体からなるもので、該導電性カーボンファイバーチップ体の二箇所の間隔にプラス・マイナス電極板３１３、３１４があり、また、該導電性カーボンファイバーチップ体は、ファイバー隙間によって該通気部３１２を直接に形成することを特徴とする請求項１に記載の温熱機能付きマスクＡ。
【請求項４】
該シート状ヒーター３１Ｂは可撓性加熱シートからなるもので、該可撓性加熱シートの上に発熱回路３１５があり、そして、間隔を置いて複数の貫通穴を設けて該通気部３１２を形成していることを特徴とする請求項１に記載の温熱機能付きマスクＡ。
【請求項５】
該電子回路コントローラ３２は、該温熱作動部品３０の動作開閉を手動で制御するために、電気的に接続するスイッチ３５が設けられていることを特徴とする請求項１に記載の温熱機能付きマスクＡ。
【考案の詳細な説明】
【技術分野】
【０００１】
本考案はマスクに関わり、特に温熱機能付き構造形態のオリジナルな設計に関する。
【背景技術】
【０００２】
慢性気管支炎、肺気腫など呼吸器系疾患患者は、冬になると辛くなり、冷たい空気を吸い込むと、不快感があって病状がひどくなるから、そのとき、マスクをつけると、快適で暖かく感じられる。
【０００３】
しかし、天気が寒くなり、温度が低すぎたとき、呼吸系疾患患者は、暖かい空気を吸い込む感じがしないから、マスクだけをつけても足りない。それに対応するために、業者が温熱機能付きマスクを開発したが、このマスクの内部に、温熱を発する電熱器が設けられ、使用者に暖かい空気を吸わせるようにし、呼吸系疾患患者の冬用必需品として使われている。
【０００４】
ただし、上述した温熱機能付きマスクは発熱效果があるが、従来の構造に幾つかの問題点が残されているが、例えば、電熱器の発熱動作に必要な電力は、電子回路の配線や変圧アダプターをコンセントに接続して、提供されることとなり、このような設計は、該マスクと供給電源  （すなわちコンセント）との間に、該電子回路の配線を通じてから、動作が行われるようになり、該温熱機能付きマスクをつけると、使用者の行動が制限され、気のままに行動することができないということは、その構造設計上の不十分なところである。
【０００５】
上述した従来の温熱機能付きマスク構造に存在する問題点について、如何に理想的で実用性のあるオリジナルな構造を開発するのが、使用者の望むことであり、関連業者が努力して、研究して突破する目標と方向でもある。
【０００６】
それを鑑みて、考案者は関連製品の製造、開発や設計に携わる長年の経験を持っており、上述の目標について詳しく設計し、評価したうえ、ようやく実用性のある本考案を得られたわけである。
【考案の概要】
【考案が解決しようとする課題】
【０００７】
本考案は、温熱機能付きマスクを提供することを目的とし、従来の温熱機能付きマスク構造設計に存在する問題点を改良、突破することを課題にする。
【課題を解決するための手段】
【０００８】
本考案の課題を解決するための技術特徴として、通気性のある内側層、外側層及び該内・外側層の間に挟まれる中間層からなる中空被覆表層、該マスク装着時の位置決めに供するために該中空被覆表層の両側に設けられる装着部品、該中空被覆表層の中間層に設けられる温熱作動部品を備えており、該温熱作動部品は、通電発熱機能を持つ面状ヒーター部と該面状ヒーター部に分布する複数の通気部を備えているシート状ヒーター、該シート状ヒーターの作動状態を制御するために該シート状ヒーターに電気的に連結する電子回路コントローラ、該シート状ヒーターの発熱に必要な電力を提供するために、該シート状ヒーターと電子回路コントローラとが電気的につながっているバッテリーセット、該電子回路コントローラと電気的につながり、該シート状ヒーターの発熱温度をセンサー検知し、設定の臨界温度になったとき、該電子回路コントローラによる該シート状ヒーターの発熱動作を自動的に停止させるための温度センサー、該温熱作動部品の動作開閉を手動で制御するために、該電子回路コントローラと電気的に接続するスイッチを備えてなることを特徴とする該マスクであり、このオリジナルな設計により、本考案は従来の技術に比べて、以下の効果が達成される。
その一、該温熱機能付きマスクは外部配線を接続せず、自己電源を持っており、マスクを
装着しても、自由自在に行動できる利便性がある。
その二、該温度センサーの設置によって、マスクの使用時に発熱温度が高すぎないように
防げるので、安全に使用できるという実用性・安全性がある。
【考案の効果】
【０００９】
１．  該温熱機能付きマスクは外部配線を接続せず、自己電源を持っており、マスクを装着しても、自由自在に行動できる利便性がある。
２．  該温度センサーの設置によって、マスクの使用時に発熱温度が高すぎないように防げるので、安全に使用できるという実用性・安全性がある。  
【図面の簡単な説明】
【００１０】
【図１】本考案の構造の好適な実施例の平面図。
【図２】本考案の構造の好適な実施例の組合断面図。
【図３】本考案の中間層に開き口が設けられている実施例図。
【図４】本考案のシート状ヒーター形態のもう一つの実施例図。
【図５】本考案のバッテリーセットがリチウムイオン電池を採用している実施例図。
【考案を実施するための形態】
【００１１】
図１、図２に示すのは、本考案の温熱機能付きマスクの好適な実施例であり、これらの実施例は説明のみに用いられ、実用新案登録出願の際、それに制限されない。
【００１２】
本実施例の温熱機能付きマスクＡは、通気性のある内側層１１、外側層１２及び該内・外側層１１、１２の間に挟まれる中間層１３からなる中空被覆表層１０を備え、該中空被覆表層１０は、布または不織布など通気性のある材料からなるものであり、
該マスクＡ装着時の位置決めに供するために、該中空被覆表層１０の両側に設けられる装着部品２０が備わり、該装着部品２０は縄体、フレキシブル弾力テープ、粘着テープなどからなるものであり、
該中空被覆表層１０の中間層１３に設けられる温熱作動部品３０が備わっており、該温熱作動部品３０は
通電発熱機能を持つ面状ヒーター部３１１、及び該面状ヒーター部３１１に分布する複数の通気部３１２からなるシート状ヒーター３１が備わり、該通気部３１２の設置によって、該マスクＡの通気効果に悪い影響を及ぼさないようにするが、
該シート状ヒーター３１の作動状態を制御するために、該シート状ヒーター３１に電気的に連結する電子回路コントローラ３２を備え、
該シート状ヒーター３１の発熱に必要な電力を提供するために、該シート状ヒーター３１と電子回路コントローラ３２とが電気的につながっているバッテリーセット３３を備え、本実施例の図１と図２に掲示したバッテリーセット３３は、水銀電池を使用した実施形態であり、
該電子回路コントローラ３２と電気的につながり、該シート状ヒーター３１の発熱温度をセンサー検知し、設定の臨界温度になったとき、該電子回路コントローラ３２による該シート状ヒーター３１の発熱動作を自動的に停止させるための温度センサー３４を備えており、
該電子回路コントローラ３２は、該温熱作動部品３０の動作開閉を手動で制御するために、該電子回路コントローラ３２と電気的につながっているスイッチ３５を備え、該スイッチ３５はプッシュクランプ式スイッチの構造形態を採用しているため、該スイッチ３５を露出せず、使用者が該中空被覆表層１０の外部から制御することができるが、もちろん、該温熱作動部品３０の開閉は、設けられた該スイッチ３５によらなくても、バッテリーセット３３を入れて、通電すれば動作し、バッテリーセット３３を取り出して電源を遮断すれば動作するように設けられることを特徴とする該マスクＡである。
【００１３】
図３に示すように、該中空被覆表層１０の中間層１３にはまた、該温熱作動部品３０の取り出しや置き入れに供するための開き口１４が設けられている。  
図１に示すように、該シート状ヒーター３１は、導電性カーボンファイバーチップ体からなるもので、該導電性カーボンファイバーチップ体の二箇所の間隔にプラス電極板３１３とマイナス電極板３１４があり、また、該導電性カーボンファイバーチップ体は、ファイバー隙間によって該通気部３１２を直接に形成している。
【００１４】
また、図４に示すシート状ヒーター３１Ｂは、可撓性加熱シートからなるもので、該可撓性加熱シートの上に発熱回路３１５があり、そして、間隔を置いて複数の貫通穴を設けて、該通気部３１２を形成している。
【００１５】
図５に示すように、該バッテリーセット３３Ｂはリチウムイオン電池を採用してもよいが、高電圧、高容量、オイルの使用寿命が長く、安全性が高いというメリットがあって、本考案に掲示したマスクＡの好適な実施例によい。
上述の実施例に掲示したのは、本考案を具体的に説明するための内容であり、文中で専門用語を用いて説明してきたが、それを以って本考案の実用新案登録請求の範囲を制限してならず、また、当該分野が分かる者はこの本考案のコンセプトや考えを理解したうえ、変更や修正などを行ってこれと同等な効果があるものを得たとしても、これらの変更や修正はすべて後述の実用新案登録請求の範囲に含まれるものとする。
【符号の説明】
【００１６】
Ａ      マスク
１０    中空被覆表層
１１    内側層
１２    外側層
１３    中間層
１４    開き口
２０    装着部品
３０    温熱作動部品
３１    シート状ヒーター
３１Ｂ  シート状ヒーター
３１１  面状ヒーター部
３１２  通気部
３１３  プラス電極板
３１４  マイナス電極板
３１５  発熱回路
３２    電子回路コントローラ
３３    バッテリーセット
３３Ｂ  バッテリーセット
３４    温度センサー
３５    スイッチ
【図１】
0003152585.tif 000003
【図２】
0003152585.tif 000004
【図３】
0003152585.tif 000005
【図４】
0003152585.tif 000006
【図５】
0003152585.tif 000007